(57)【要約】  【課題】      携帯電話機本体に電力供給用の端子が設けられていない場合であっても内部の発光体を発光させることのできる外装パネルを提供する。  【解決手段】  この発明では、発光ユニット14の駆動電源として電池36が使用されるので、携帯電話機1から電力を直接供給できないような機種に取り付ける場合であっても、発光ユニット14を発光させることが可能となる。したがって、外装パネル10の携帯電話機1への取り付けに際し、取り付け対象となる携帯電話機1の機種を選ばず、非常に機能的である。【選択図】      図５
2006340315.tif 000002
【特許請求の範囲】
【請求項１】
透光部を有するパネル本体と、携帯電話機が電波信号を受信したときに前記透光部に向けて光を所定時間出光させる発光ユニットとを有し、携帯電話機に着脱自在に装着して使用される携帯電話機用外装パネルにおいて、
発光ユニットは、電池を駆動電源とすることを特徴とする携帯電話機用外装パネル。
【請求項２】
前記発光ユニットが、パネル本体に形成された収容凹部と、前記収容凹部を覆う蓋部材とで構成された閉空間内に収容されていることを特徴とする請求項１に記載の携帯電話機用外装パネル。
【発明の詳細な説明】
【技術分野】
【０００１】
本発明は、携帯電話機本体に着脱自在に装着して用いられる携帯電話機用外装パネルに関するものである。
【背景技術】
【０００２】
最近では、外装パネルを着脱可能とした携帯電話機が販売されており、大変な人気を博している（例えば、非特許文献１参照）。
【０００３】
この種の外装パネルとしては、例えば、特開２００３−２８３６１６号公報のように、着信信号を受信したときに外装パネル内部に設けた発光体（例えばＬＥＤ）を発光させるようにした技術が存在する（特許文献１参照）。
【０００４】
この従来技術によれば、発光体が発光することによって動的な装飾効果を得ることができるので、付加価値が高まり、ユーザーの満足度を高めることができる。
【非特許文献１】インターネット＜ＵＲＬ：http://panasonic.jp/mobile/p900i/custom/＞
【特許文献１】特開２００３−２８３６１６号公報
【発明の開示】
【発明が解決しようとする課題】
【０００５】
ところで、この従来の外装パネルにおいては、発光体を発光させるための電力が携帯電話機本体から供給されるようになっているのであるが、携帯電話機本体に電力供給用の端子が設けられていない場合には、発光体に電力を供給することができず、発光体を発光させることができないという問題があった。
【０００６】
それゆえに、本発明の目的は、携帯電話機本体に電力供給用の端子が設けられていない場合であっても内部の発光体を発光させることのできる携帯電話機用外装パネルを提供することである。
【課題を解決するための手段】
【０００７】
請求項１に記載の発明は、「透光部を有するパネル本体(12)と、携帯電話機(1)が電波信号を受信したときに透光部に向けて光を所定時間出光させる発光ユニット(14)とを有し、携帯電話機(1)に着脱自在に装着して使用される外装パネル(10)において、発光ユニット(14)は、電池(36)を駆動電源とする」ことを特徴とする。
【０００８】
この発明では、発光ユニット(14)の駆動電源として電池(36)が使用されるので、携帯電話機(1)から発光ユニット(14)に直接電力を供給できないような場合であっても、発光ユニット(14)を発光させることが可能となる。
【０００９】
請求項２に記載の発明は、「発光ユニット(14)が、パネル本体(12)に形成された収容凹部(28)と、収容凹部(28)を覆う蓋部材(46)とで構成された閉空間内に収容されている」ことを特徴とする。
【００１０】
この発明では、収容凹部(28)と、収容凹部(28)を覆う蓋部材(46)とからなる閉空間内に発光ユニット(14)を収容することにより防水機能を付与できる。
【発明の効果】
【００１１】
本発明によれば、携帯電話機用外装パネルを携帯電話機に取り付ける際、発光ユニットを機能させる点において取り付け対象となる携帯電話機の機種を選ばず、非常に機能的である。
【００１２】
しかも、収容凹部と、収容凹部を覆う蓋部材とからなる閉空間内に発光ユニットを収容することによって発光ユニットに防水機能を付与できるので、ユーザーの利便性を高めることができる。
【発明を実施するための最良の形態】
【００１３】
以下、本発明を図示実施例に従って詳述する。
【実施例１】
【００１４】
本発明の適用された外装パネル(10)は、図４〜図５に示すように、携帯電話機(1)の本体ケース(2)に着脱自在に装着して使用されるものであり、図１からも分かるように、パネル本体(12)と、発光ユニット(14)とで大略構成されている。
【００１５】
パネル本体(12)は、その外形が本体ケース(2)の形状に応じて形成された板状部材であり、その裏面外周縁には、リブ(12a)が突設されている。パネル本体(12)は、透光体（本実施例では、透光性を有する樹脂であるポリカーボネートが用いられている。）によって形成されており、本実施例では、パネル本体(12)全体が「透光部」として機能する。
【００１６】
パネル本体(12)の上端部は、内側に丸く切り欠かれており、この円形切り欠き部(20)に本体ケース(2)のレンズ(3)が嵌め込まれるようになっている。
【００１７】
また、パネル本体(12)の中央部分には、本体ケース(2)の表示パネル(4)の位置に合わせて矩形状の表示パネル用窓(22)が形成されており、前記円形切り欠き部(20)の近傍には、本体ケース(2)に設けられた撮影用ライト(5)の位置に合わせて円形状のライト用窓(24)が形成されている。
【００１８】
さらに、パネル本体(12)の四隅には、本体ケース(2)に形成されているネジ孔(6)の位置に合わせてビス挿通用孔(26)が形成されている。
【００１９】
パネル本体(12)の裏面（リブ(12a)が形成されている側の面であって、携帯電話機(1)の本体ケース(2)と対向する側の面をいう。）下部には、後述する発光ユニット(14)を収容するための収容凹部(28)が形成されている（図２参照）。
【００２０】
発光ユニット(14)は、携帯電話機(1)が電波信号を受信したときにパネル本体(12)の透光部に向けて光を所定時間出光させるものであり、発光体(30)と、アンテナ(32)と、点灯用基板(34)と、電池(36)とで構成されている（図１および図３参照）。
【００２１】
発光体(30)は、光を発する部分であり、この実施例では、ＬＥＤ素子（発光ダイオード素子）が用いられる。なお、発光体(30)の種類としては、ＬＥＤ素子に限定されるものではなく、例えば、ＥＬ素子などの他の発光素子を用いることも可能である（この点については、後述する。）。
【００２２】
アンテナ(32)は、携帯電話機(1)に対して送信された電波信号を受信するとともに、当該受信した電波信号を電気信号に変換するものである。アンテナ(32)の形状は、特に限定されるものではないが、本実施例では、電波信号を効率よく受信するためにロッド状に形成されている。アンテナ(32)の材質としては、抵抗率が低い金属（例えば、チタン−ニッケル合金などの形状記憶合金、ステンレス或いは銅など）が用いられる。
【００２３】
点灯用基板(34)は、アンテナ(32)が電波信号を受信したとき、アンテナ(32)によって変換された電気信号（この電気信号は、上述したように、携帯電話機(1)に対して送信された電波信号がアンテナ(32)によって変換されたものである。）を受信したとき、発光体(30)に所定電圧を所定時間印加してこれを点灯させるものであり、本実施例では、発光体(30)に対して６ボルトの電圧（これは、電池(36)の電圧に一致する。）を１２秒間（勿論、１２秒に限定されるものではなく、適宜設定可能である。）断続的に印加することで発光体(30)を断続的に点灯させるようになっている。
【００２４】
電池(36)は、発光体(30)および点灯用基板(34)に対して電力を供給するためのものであり、本実施例では、ボタン電池と呼ばれるコイン型の電池を２個直列に接続したものが用いられている。
【００２５】
発光ユニット(14)の構成について説明すると、図３に示すように、発光体(30)は、一方の端子(30a)が点灯用基板(34)に導電線(40a)を介して接続されており、他方の端子(30b)が導電線(40b)を介して電池(36)のプラス側電極に接続されている。なお、本実施例では、発光体(30)と電池(36)との間に抵抗(42)が設けられている。
【００２６】
点灯用基板(34)には、上述した他に、アンテナ(32)および２本の導電線(40c)(40d)が接続されており、各導電線(40c)(40d)が電池(36)のプラス側電極およびマイナス側電極にそれぞれ接続されている。
【００２７】
外装パネル(10)を形成するには、パネル本体(12)の背面側に形成されている収容凹部(28)に発光ユニット(14)を配置すればよい（図１参照）。そして、図４に示すように、発光ユニット(14)が組み込まれた外装パネル(10)を携帯電話機(1)の本体ケース(2)の所定位置に装着し、ビスなどの締結部材(44)をビス挿通用孔(26)に挿通するとともに、その先端を本体ケース(2)のネジ孔(6)に螺合する。これにより、携帯電話機(1)に外装パネル(10)が取り付けられることになる（図５参照）。
【００２８】
次に、本実施例の作用について説明する。携帯電話機(1)が電波信号（着信信号など）を受信すると、発光ユニット(14)を構成しているアンテナ(32)も同時にこの電波信号を受信する。そして、この電波信号がアンテナ(32)にて微弱な電気信号に変換され、然る後、この電気信号が点灯用基板(34)に伝達される。
【００２９】
点灯用基板(34)に電気信号が伝達されると、点灯用基板(34)は、発光体(30)に対して所定の電圧を数秒間断続的に印加する（本実施例では、６ボルトの電圧を１２秒間（勿論、適宜時間設定可能である）断続的に印加する。）。これにより、発光体(30)が所定時間断続的に点灯し、外装パネル(10)に視覚的な効果が付与されることとなる。
【００３０】
本実施例によれば、発光ユニット(14)の駆動電源としての電池(36)が外装パネル(10)に備えられているので、携帯電話機本体(1)から発光ユニット(14)に電力を供給できないような機種に外装パネル(10)を取り付ける場合であっても、発光ユニット(14)を駆動させることができる。
【００３１】
なお、図６に示すように、収容凹部(28)に収容されている発光ユニット(14)を蓋部材(46)で覆うようにしてもよい。この場合、収容凹部(28)と蓋部材(46)とで囲まれた密閉空間内に発光ユニット(14)が収容されることになるので、防水効果を得ることが可能となり、利用者の使い勝手を向上させることが可能となる。
【実施例２】
【００３２】
上述の実施例では、発光体(30)としてＬＥＤ素子を使用した例について説明したが、図７〜図８に示す第２実施例の外装パネル(50)のように、ＥＬ（エレクトロルミネッセンス）素子を発光体(52)として用いるようにしてもよい。
【００３３】
ＥＬ素子発光体(52)は、シート状の発光体であり、本実施例では、ＥＬ素子保持用基板(54)の表面に張り付けて使用されることになる（図８参照）。ここで、ＥＬ素子保持用基板(54)は、その外形寸法がパネル本体(12)よりも若干小さめに設定された薄板状部材である。
【００３４】
ＥＬ素子保持用基板(54)上には、ＥＬ素子発光体(52)を通るように複数本のリード線(58)が印刷されており、このリード線(58)の端部と点灯用基板(56)とが接続線(60)を介して電気的に接続されている。
【００３５】
なお、点灯用基板(56)は、ＥＬ素子発光体(52)の他、上述実施例と同様、アンテナ(32)および電源(36)に電気的に接続されている。
【００３６】
ここで、点灯用基板(56)は、電池(36)の電圧を発光体に印加してこれを点灯させる点において第１実施例の点灯用基盤(34)と同じであるが、アンテナ(32)からの微弱な電気信号を受け取ったときに、ＥＬ素子発光体(52)に対して特定周波数の交流電流をインバータ制御によって流すようにしている点で第１実施例の点灯用基板(34)とは異なる。
【００３７】
外装パネル(50)を形成する際には、パネル本体(12)の背面側に形成されている収容凹部(28)にアンテナ(32)および電池(36)を収容し、然る後、ＥＬ素子保持基板(54)をパネル本体(12)の裏面に取り付ければよい（このとき、ＥＬ素子発光体(52)が張り付けられている側の面をパネル本体(12)と対向させる。パネル本体(12)には、ＥＬ素子発光体(52)の位置に合わせて透光部が設けられている。）。なお、パネル本体(12)とＥＬ素子保持基板(54)との取付構造は特に限定されるものではなく、たとえば、係止溝と係止爪との組み合わせにて両部材(12)(54)を固定してもよいし、ビス止めにて固定してもよい。
【００３８】
そして、前述実施例同様、外装パネル(50)を携帯電話機(1)の本体ケース(2)の所定位置に装着し、ビス止めすればよい。
【００３９】
次に、本実施例の作用について説明する。上述実施例同様、携帯電話機(1)が電波信号（着信信号など）を受信すると、発光ユニット(14)を構成しているアンテナ(32)も同時にこの電波信号を受信する。そして、この電波信号がアンテナ(32)にて微弱な電気信号に変換され、然る後、この電気信号が点灯用基板(56)に伝達される。
【００４０】
点灯用基盤(56)に電気信号が伝達されると、点灯用基盤(56)では、電池(36)からの直流電流を所定の周波数の交流電流に変換し（インバータ制御し）、これをＥＬ素子発光体(52)に供給する。これにより、ＥＬ素子発光体(52)を発光させることが可能となる。
【００４１】
本実施例においても、前述実施例と同様、発光ユニット(14)の駆動電源としての電池(36)が外装パネル(50)に備えられているので、携帯電話機本体(1)から発光ユニット(14)に電力を供給できないような機種に外装パネル(50)を取り付ける場合であっても、発光ユニット(14)を駆動させることができる。
【図面の簡単な説明】
【００４２】
【図１】本発明にかかる外装パネルを示す正面図および背面図である。
【図２】電池を取り外した状態の収容凹部を示す部分拡大図である。
【図３】発光ユニットを示す図である。
【図４】外装パネルの携帯電話機本体への装着状態を示す図である。
【図５】本発明にかかる外装パネルの使用状態を示す図である。
【図６】外装パネルの変形例を示す図である。
【図７】外装パネルの第２実施例を示す図である。
【図８】ＥＬ素子発光体が張り付けられたＥＬ素子保持用基板と点灯用基板との接続した状態を示す図である。
【符号の説明】
【００４３】
１０、５０  外装パネル
１２  パネル本体
１４  発光ユニット
３６  電池
【図１】
2006340315.tif 000003
【図２】
2006340315.tif 000004
【図３】
2006340315.tif 000005
【図４】
2006340315.tif 000006
【図５】
2006340315.tif 000007
【図６】
2006340315.tif 000008
【図７】
2006340315.tif 000009
【図８】
2006340315.tif 000010